(57)【要約】【課題】イヤホンプラグとイヤホンジャックの嵌合部にガタがあると、イヤホンと防水パッキン間に隙間が発生して防水機能が損なわれることがあるなどの課題があった。【解決手段】イヤホン２を押圧する方向に弾性力を有する防水パッキン６をプラグ孔５の周囲に設ける。これにより、内部に浸入する水を確実に防ぐことができる効果を奏する。【選択図】　　　　図１
2004119284.tif 000002
【特許請求の範囲】
【請求項１】
プラグを挿入するプラグ孔が施され、上記プラグが上記プラグ孔に挿入されると、電子機器の本体と上記プラグを電気的に接続するプラグ差込部と、上記プラグ差込部に施されているプラグ孔の周囲に設けられ、上記プラグの本体を押圧する方向に弾性力を有するパッキンとを備えたプラグ差込器具。
【請求項２】
パッキンの形状がダイヤフラム状に形成されていることを特徴とする請求項１記載のプラグ差込器具。
【請求項３】
パッキンの形状が蛇腹状に形成されていることを特徴とする請求項１記載のプラグ差込器具。
【請求項４】
プラグを挿入するプラグ孔が施され、上記プラグが上記プラグ孔に挿入されると、電子機器の本体と上記プラグを電気的に接続するプラグ差込部と、上記プラグ差込部に施されているプラグ孔の周囲に設けられたパッキンと、上記パッキンを上記プラグの本体に押し付ける弾性体とを備えたプラグ差込器具。
【発明の詳細な説明】
【０００１】
【発明の属する技術分野】
この発明は、例えば、屋外で使用される可能性のある携帯電話機などの小形電子機器に適用されるプラグ差込器具に関するものである。
【０００２】
【従来の技術】
従来のプラグ差込器具には、イヤホンのプラグを挿入するイヤホンジャックのプラグ孔の周囲に平板状の防水パッキンが設けられており、イヤホンのプラグがプラグ孔に挿入されると、イヤホンのプラグとイヤホンジャックの嵌合力により防水パッキンが圧縮される。
これにより、イヤホンとイヤホンジャック間の接合面を防水して、プラグ差込器具の内部に水が浸入することを防いでいる。
【０００３】
【特許文献１】
特開平９−１２９３０１号公報（図１）
【０００４】
【発明が解決しようとする課題】
従来のプラグ差込器具は以上のように構成されているので、イヤホンプラグとイヤホンジャックの嵌合部にガタがあると、イヤホンと防水パッキン間に隙間が発生して防水機能が損なわれることがあるなどの課題があった。
【０００５】
この発明は上記のような課題を解決するためになされたもので、内部に浸入する水を確実に防ぐことができるプラグ差込器具を得ることを目的とする。
【０００６】
【課題を解決するための手段】
この発明に係るプラグ差込器具は、プラグの本体を押圧する方向に弾性力を有するパッキンをプラグ孔の周囲に設けたものである。
【０００７】
【発明の実施の形態】
以下、この発明の実施の一形態を説明する。
実施の形態１．
図１及び図２はこの発明の実施の形態１によるプラグ差込器具を示す断面図であり、特に、図１はイヤホンプラグ挿入後の状態を示し、図２はイヤホンプラグ挿入前の状態を示している。
例えば、屋外で使用される可能性のある携帯電話機などの小形電子機器１はイヤホン（プラグの本体）２のプラグ３を挿入するプラグ差込部４を備えている。
【０００８】
プラグ差込部４はプラグ３を挿入するプラグ孔５が施され、プラグ３がプラグ孔５に挿入されると、小形電子機器１の本体とプラグ３を電気的に接続する機能を備えている。防水パッキン６はプラグ孔５の周囲に設けられ、形状がダイヤフラム状に形成されているためイヤホン２を押圧する方向に弾性力を有している。
図３は防水パッキン６を上部から見た平面図であり、図において、防水パッキン６の中心部には、イヤホン２のプラグ３を通す穴７が施されている。
【０００９】
次に動作について説明する。
まず、イヤホン２のプラグ３を防水パッキン６の穴７を通じて、プラグ差込部４のプラグ孔５に挿入すると（図１を参照）、小形電子機器１の本体とプラグ３が電気的に接続される。
【００１０】
この際、防水パッキン６は、イヤホン２のプラグ３とプラグ差込部４が嵌合することによって、図中、下方向に弾性変形する。
即ち、防水パッキン６のうち、イヤホン２のプラグ３とプラグ差込部４に挟まれる部分（ダイヤフラム状の部位）が、図中、下方向に弾性変形する。
防水パッキン６は、図中、下方向に弾性変形すると、イヤホン２を押圧する方向（図中、上方向）に弾性力を有する（元の形状に復元しようとする弾性復元力を有する）ので、防水パッキン６によるイヤホン２とプラグ差込部４間の密着性が高まる。
なお、防水パッキン６の材質は特に限定するものではないが、例えば、ゴムや樹脂などが考えられる。
【００１１】
以上で明らかなように、この実施の形態１によれば、イヤホン２を押圧する方向に弾性力を有する防水パッキン６をプラグ孔５の周囲に設けるように構成したので、内部に浸入する水を確実に防ぐことができる効果を奏する。
【００１２】
実施の形態２．
上記実施の形態１では、防水パッキン６の形状がダイヤフラム状に形成されているものについて示したが、防水パッキン６はイヤホン２を押圧する方向に弾性力を有していればよく、形状がダイヤフラム状に形成されているものに限るものではない。
したがって、図４に示すように、防水パッキン６の形状が蛇腹状に形成されているものであってもよい。
防水パッキン６の形状を蛇腹状に形成すれば、さらに弾性力を高めて防水パッキン６の防水力を高めることができる。
【００１３】
実施の形態３．
上記実施の形態１では、イヤホン２を押圧する方向に弾性力を有している防水パッキン６を示したが、図５に示すように、弾性力を有していない防水パッキン８をプラグ孔５の周囲に設ける場合、その防水パッキン８をイヤホン２に押し付ける板バネなどの弾性体９を設ければよい。
この場合も、上記実施の形態１と同様に、防水パッキン８によるイヤホン２とプラグ差込部４間の密着性が高まるので、内部に浸入する水を確実に防ぐことができる効果を奏する。
【００１４】
実施の形態４．
上記実施の形態１〜３では、イヤホン２のプラグ３をプラグ差込部４のプラグ孔５に挿入するものについて示したが、これに限るものではなく、例えば、コネクタの端子ピン（プラグ）をプラグ差込部４のプラグ孔５に挿入するようにしてもよく、上記実施の形態１〜３と同様の効果を奏する。
【００１５】
【発明の効果】
以上のように、この発明によれば、プラグの本体を押圧する方向に弾性力を有するパッキンをプラグ孔の周囲に設けるように構成したので、内部に浸入する水を確実に防ぐことができる効果がある。
【図面の簡単な説明】
【図１】この発明の実施の形態１によるプラグ差込器具を示す断面図である。
【図２】この発明の実施の形態１によるプラグ差込器具を示す断面図である。
【図３】防水パッキンを上部から見た平面図である。
【図４】この発明の実施の形態２によるプラグ差込器具を示す断面図である。
【図５】この発明の実施の形態３によるプラグ差込器具を示す断面図である。
【符号の説明】
１　小形電子機器、２　イヤホン（プラグの本体）、３　プラグ、４　プラグ差込部、５　プラグ孔、６　防水パッキン、７　穴、８　防水パッキン、９　弾性体。
【図１】
2004119284.tif 000003
【図２】
2004119284.tif 000004
【図３】
2004119284.tif 000005
【図４】
2004119284.tif 000006
【図５】
2004119284.tif 000007